(57)【要約】      （修正有）【課題】空気などの流体噴出にて浮き上がった球体を打って遊ぶための遊技装置を提供する。【解決手段】基台１は中空長尺箱体であり、床面上に固定され、基板２は、基台１上に固定する。この基板中央は基台巾と同一巾の平坦部分であり、この平坦部分が基台に固定される。平坦部分両側は鈍角に下方へ折曲されて傾斜部３となり、再び上方へ折曲され、その先はさらに上方へ折曲されて散逸防止部４となる。この折曲による基板最下部は溝状となり、ここに通気孔としての貫通孔が所定配置にて設けられる。この通気孔直下には、バルブを内蔵した通気管６が位置し、該通気管側部にはバルブ調整ハンドル７が位置している。この通気管は、別設のブロワーに接続される。【選択図】図３
0003166681.tif 000002
【実用新案登録請求の範囲】
【請求項１】
その中央に平坦部を有する長尺の板体を設け、該板体の非長尺方向を下方に折曲するとともにさらに上方に折曲してなる傾斜部を設け、該傾斜部下端適所に通気孔を穿設し、該通気孔直下に、空気噴出のための通気管を設けたことを特徴とする浮遊球を用いた遊戯装置。
【請求項２】
最外部の傾斜部に連続してさらに上方に折曲された板体による散逸防止部を形成してなる請求項１記載の浮遊球を用いた遊戯装置。
【請求項３】
通気管に流量調整のためのバルブとバルブ調整ハンドルを設けてなる請求項１または２記載の浮遊球を用いた遊戯装置。
【考案の詳細な説明】
【技術分野】
【０００１】  この考案は、空気などの流体噴出にて浮き上がった球体を打って遊ぶための遊戯装置に関する。
【背景技術】
【０００２】  従来より、球を用いた種々のゲーム、スポーツ、遊技等があるが、本案にて示すように、流体噴出にて浮かんだ球を打って遊ぶものは見あたらない。
【考案の開示】
【考案が解決しようとする課題】
【０００３】  球を用いた遊びやスポーツは古くから親しまれてきた。現在行われているものとしては、野球、ソフトボール、サッカー、バレーボール、バスケットボール、テニス、卓球、ゴルフ、パークゴルフ、ゲートボール、ハンドボール、水球、砲丸投げ、ボウリング、ドッジボール、玉転がしなどがあり、最近ではペタンク（標的に向かって鉄の球を投げる）もある。また、球ではないが類似するものを用いるものとして、ラグビーやバドミントンがある。これらのスポーツ等で用いる球は、主に地上にて投げたり置いたりした球に対してキャッチしたり、蹴ったり打ったりして用いるものである。
一方、古くから中空小球を用いたおもちゃがある。
これは、小短管の一端を上方へ湾曲させ、ここに螺旋線材を取り付け、ピンポン玉より小さい中空小球をこの線材内に置いたもので、短管の一端より息を吹き込むと、その空気噴出にて小球は浮き上がる。短管端から球が離れるにつれて球に当たる風圧は弱くなって球は下降するが、風圧とのつり合い位置にてこの小球は短管端より所定距離上方の位置にて、風圧変動にて少し上下にふらつきながらその位置が保たれる。
球が空気の流れの中心から外れると、空気の流れが大きく曲げられるところと、流れがほとんど曲げられないところができ、ほとんど曲げられないところでは、空気の流れが球を押す力は弱く、大きく曲げられるところでは、逆に強くなり、この作用にて球が中心に押し戻されることとなる。
従って、短管を口にくわえて息を吹きながら姿勢を変えても、小球は浮き上がりながら短管端位置へ追随する作用が発生して、視覚的な面白さを楽しむことができる。
本考案は、以上の原理に基づく新規な遊戯装置を得るべく考案されたもので、従来にない斬新な遊びを提供するものである。
【課題を解決するための手段】
【０００４】  課題を解決する手段として本案は以下の構成とした。
すなわち、その中央に平坦部を有する長尺の板体を設け、該板体の非長尺方向を下方に折曲するとともにさらに上方に折曲してなる傾斜部を設け、該傾斜部下端適所に通気孔を穿設し、該通気孔直下に、空気噴出のための通気管を設ける。
本案は以上の構成よりなる浮遊球を用いた遊戯装置である。
【考案の効果】
【０００５】  本案は以下の効果を有する。
１．噴出空気にて球体を浮遊させ、この球体を棒体等で打ち落とす遊びであり、従来にな  い斬新な感覚の遊戯として楽しむことができる。
２．傾斜部下端の通気孔より噴出する空気にて球体を浮上させる方式のため、打ち落とし  た球体は自然にこの通気孔位置に戻るので、自動的に再び浮上して連続的に楽しむこと  ができる。
３．全体コース形状は任意に設定できるので、設置場所に応じた工夫を盛り込むことがで  きる。
【考案を実施するための最良の形態】
【０００６】  以下、本考案の実施形態について説明する。
図において、１は基台で、中空長尺箱体であり、本案装置設置の床面上に固定される。
２は基台上に固定される基板である。この基板中央は基台巾と同一巾の平坦部分であり、この平坦部分が基台に固定される。平坦部分両側は鈍角に下方へ折曲されて傾斜部３となり、再び上方へ折曲され、その先はさらに上方へ折曲されて散逸防止部４となる。
この折曲による基板最下部は溝状となり、ここに通気孔５としての貫通孔が所定配置にて設けられる。この通気孔直下には、バルブを内蔵した通気管６が位置し、該通気管側部にはバルブ調整ハンドル７が位置している。基板の長手方向形状は任意であるが、たとえば図４にて示すように平面視コ字形として、通気孔を千鳥状配置とすることができる。
この通気管は、別設のブロワーに接続される。
以上が本案の一実施形態である。
本案の使用に際しては、まず通気孔上に中空球体を載せ、ブロワー作動にて空気は通気管端より噴出する。この噴出空気は通気孔を通過してその上の球体に当たり、球体は上方へ浮き上がる。遊戯者は基板の平坦部に上がり、棒体等を持ち、この平坦部を前進しながら浮遊球を棒等にて打ち落とし、これを連続的に行い、コーススタート位置から開始してコース終了位置に至って終了となる。
本案には傾斜部が設けてあり、通気孔はこの傾斜部最下位置にあるので、打ち落とされた球体は自動的にこの通気孔位置に戻り、再び浮上するので、球拾いの手間が省ける。
なお、傾斜部により形成される溝部は、通気孔を中心としてその長手方向にも若干の傾斜を有することが好ましい。【０００７】  通気孔直下には、バルブとバルブ調整ハンドルが位置し、このハンドル調整にて各通気管からの噴出空気量を設定することができるので、浮遊した各球体の高さを適宜に変化して設定することができる。また、ブロワーと通気管との間に、電磁式流量調整弁を設け、この弁をプログラム制御可能なる回路にて制御するものとすれば、連続的に流量変化が発生し、浮遊球は絶えずその上下位置が変動するので、球を打ち落とす際の難易度を変えることができる。本例では散逸防止部を設けているので、図３にて示すように、打たれた球はまずこの散逸防止部に当たり、傾斜に沿って下降して通気孔位置に至るので、安心して連続的に楽しむことができる。【０００８】  以上、本案について記したが、本案は空気噴出にて浮上した球体を打ち落とすという従来にない遊びを提供するものである。棒状物品を用いた遊びとしては、昔から子供たちの間でチャンバラが行われてきた。当時は映画の時代劇が盛んで、これに影響されてこのチャンバラ遊びがあったのである。これは単なる遊びではあったが、棒を刀に見立てて斬り合う動作をするので、知らず知らずのうちに身体の敏捷性を養う効果があったものと思われる。現代ではほとんど廃れてしまった遊びではあるが、本案にても同様の動作をするので、楽しみながら身体能力の向上が見込まれるものと考えられ、老若男女関係なく楽しめるものである。
また、雰囲気を醸し出すために、模造剣を持ち、貸衣装などで時代劇風の衣装を身につけて遊ぶのも一法である。この遊びは子供のみならず大人も楽しむことができるが、高齢者その他の方々のリハビリ的な利用も可能と思われる。
以上のごとく、本案によって新鮮な遊びを楽しむとともに、身体能力の向上にも寄与する有益な装置を得ることができる。
【図面の簡単な説明】
【０００９】
【図１】  本考案の構造説明図（正面視）
【図２】  本考案の球浮上説明図
【図３】  本考案の使用説明図
【図４】  本考案の配置構成説明図（平面視）
【符号の説明】
【００１０】  １  基台
２  基板
３  傾斜部
４  散逸防止部
５  通気孔
６  通気管
７  バルブ調整ハンドル
８  球
【図１】
0003166681.tif 000003
【図２】
0003166681.tif 000004
【図３】
0003166681.tif 000005
【図４】
0003166681.tif 000006